(57)【要約】      （修正有）【課題】着用するブラジャーの内側下部に吸収パットを取り付け、汗を吸収させ使用後は取り外して使い捨てにできる汗取り吸収パットを提供する。【解決手段】ブラジャー内側のアンダーバスト部分に装着する汗取り吸収パットであって、ブラジャー前面から両脇部分までカバーする略テープ状であって、上部には複数の切れ込み２，３を入れてカップの丸みに合わせて密着できる形状を有し、肌に密着する汗吸収層と吸収した汗をブラジャーに移動させないための防水層とブラジャー内側に取り付けるための両面粘着部分からなる汗取り吸収パット。前記汗取り吸収パットの上部には、左右方向中心部にハート形の突部部分１を設けることにより、左右のカップの間の汗を吸収できる。【選択図】図１
0003191632.tif 000002
【実用新案登録請求の範囲】
【請求項１】
ブラジャー内側のアンダーバスト部分に装着する汗取り吸収パットであって、ブラジャー前面から両脇部分までカバーする略テープ状であって、上部には複数の切れ込みを入れてカップの丸みに合わせて密着できる形状を有し、肌に密着する汗吸収層と吸収した汗をブラジャーに移動させないための防水層とブラジャー内側に取り付けるための両面粘着部分からなる汗取り吸収パット。
【請求項２】
前記汗取り吸収パットの上部には、左右方向中心部にハート形の突部部分を設けることにより、左右のカップの間の汗を吸収できることを特徴とする請求項１記載の汗取り吸収パット。
【考案の詳細な説明】
【技術分野】
【０００１】
本考案は、着用するブラジャーの内側下部に吸収パットを取り付け、汗を吸収させ使用後は取り外して使い捨てにできる汗取りパットに関するものである。
【背景技術】
【０００２】
従来の汗吸収体は、ブラジャーの前面、背面、両方の内側全体に装着する形式なので、ブラジャーを着脱するのに時間がかかる。又、吸収体と肌に接する面積が多くなるため、体を動かし続けた場合、吸収体とブラジャーの間にずれが生じたりする。
【先行技術文献】
【特許文献】
【０００３】
【特許文献１】特許第４２６２７０２号公報
【特許文献２】特開２００４−２９８５３９号公報
【考案の概要】
【考案が解決しようとする課題】
【０００４】
従来の汗取り用：吸収パットは、ブラジャーの内側全体に付けるものです。前面、背面、両方に有る状態の物です。このような状態の場合には、簡単にブラジャーから着脱することは難しいものである。
【課題を解決するための手段】
【０００５】
ブラジャーの前面、左右の脇から左右のカップまでの内側の下部に汗取りパットに付いている粘着テープでカップの丸みに合わせて形を整え動かないようにピッタリと脇まで貼る。
汗取りパットの外側はポリプロピレン、ポリエチレン等の水分を通さない素材を使用したフィルム。肌に直接触れる内側はパルプ又はコットン等を使用し汗を吸収し肌をサラサラに保ちます。又中央のハートの部分はカップとカップの間、胸の谷間の部分に出た汗も吸収することができるのでブラジャーを濡らさない。濡れた吸収パットは、ブラジャーを体から取らずにパットの外側の粘着テープをブラジャーの内側から離せば、上下どちらからでも簡単に取り外すことができ、又濡れた吸収パットは使い捨てできます。
ブラジャー内側のアンダーバスト部分に装着する汗取り吸収パットであって、ブラジャー前面から両脇部分までカバーする略テープ状であって、上部には複数の切れ込みを入れてカップの丸みに合わせて密着できる形状を有し、肌に密着する汗吸収層と吸収した汗をブラジャーに移動させないための防水層とブラジャー内側に取り付けるための両面粘着部分からなる汗取り吸収パット。
左右のカップ中央のハート形の部分、下部アンダーバスト部分の長さは脇まで、吸収パットをカップ丸みに合わせるため、パットの上部を切り離すことで合わせることができる。又、両面粘着テープを切り離したパットの各部分の外面のフィルムに付けることにより、ブラジャーの内面にピッタリ密着させることができる。
ハートの部分は、左右のブラジャーを中央に引き寄せないために下部を切り離しハート形パットの外面フィルムの左右の端に両面粘着テープを付けることによりブラジャーのカップ前側内面に密着させることができる。
下部アンダーバストの部分は、ブラジャーのデザインによってカップから下部（裾）までの長さに合わせて、体を動かしても吸収パットがずれたりしないために下部（裾）全体を両面粘着テープで外面フィルムの部分に付ける。
【考案の効果】
【０００６】
仕事、家事、レジャーなど動いて汗の量が多く出る時などブラジャーが濡れてしまう。濡れる部分は上部（トップ）より上でかいた汗が下部に流れて濡れがひどく、そのため肌がべとついてしまい着替えることになります。この考案では、汗取りパットをブラジャーの内側カップの下部アンダーバストに粘着テープでしっかり付けることにより吸収パットがかいた汗を吸収する又吸収パットのカップとカップの間、中央の部分にハート形の吸収パットを付けることにより胸の谷間にかいた汗も下に流れるのをパットが吸収するためブラジャーを濡らすことがないので肌はサラッとしている、又濡れてしまった吸収パットはブラジャーから離して捨てることができる。
【図面の簡単な説明】
【０００７】
【図１】汗吸収パットの平面図
【図２】汗吸収パットの外側の面に両面粘着テープを貼った図
【図３】吸収パットの外側の面と内側の面、外面フィルムに付けた両面粘着テープの断面図
【図４】ブラジャーの内側に吸収パットを付けた図
【考案を実施するための形態】
【０００８】
考案した汗取り吸収パットの外側の面には防水性の有る素材、ポリエチレン、ポリプロピレンなどの薄いフィルムを使用する。又肌に接する、内側の面は汗を吸収しやすい綿状パルプ・コットン（木綿の繊維で作った薄手のやわらかい紙）などの素材を使用し、外側の面になるフィルムと内側の面になるコットンを接着する。
以下、図面を使いながら本考案の内容を説明する。
図１−１
吸収パット中央に有る、ハート形は、ブラジャーを体に付けたとき左右のカップの間になり胸の谷間にかいた汗を下部に流れる前に吸収することができる。
吸収パット図１−２のハートを切り離すことによりブラジャーの左右のカップを引き寄せないため、ブラジャーの形を変えることがない。
図1−3  
ブラジャーのカップの丸みに合わせて、吸収パットの上部を切り離すことで、ブラジャーの内側の面にピッタリ密着させることができる又切り口の角の部分を丸くすることにより肌の刺激を軽減できる。カップ内側に入る吸収パットの長さはカップの大きさの縦の長さの１／３とする。
図１−４
吸収パットのした（裾)の部分は、ブラジャーのアンダーバスト（裾）の部分に合わせて直線ではなく上方向にゆるやかなカーブをつけることでブラジャーにピッタリと付けることができる。又５の部分の吸収パットの長さは左右脇で止める。
図２
ブラジャーの内側の面に汗取りパットをピッタリ貼るには、切り離した各部分の外面フィルムに両面粘着テープを付ける。６−ハート形は左右の端に７−カップの中に入る部分は切り離された各部分の粘着テープを貼る場所は上部に、８−は（裾）下の部分に粘着テープを付ける。
図３−９
汗取り吸収パットの外側の面には、防水性の有る薄いフィルム、ポリエチレン、ポリプロピレンなどの素材を使用する。
図３−１０
汗取り吸収パットの内側の面には汗を吸収することができる、綿状パルプ、コットン（木綿の繊維で作った薄手のやわらかい紙）などの素材を使用する。
図４−１１
ブラジャーの内側の面に汗取りパットを両面粘着テープで装着した図です。
【符号の説明】
【０００９】
１  中央のハート
２、３  切り離した部分
４  パット（裾）下の部分
５  パットの長さ
６、７、８  固定の方法
９  防水性の素材
１０  吸水性の素材
１１  両面粘着テープ  
１２  装着面
【図１】
0003191632.tif 000003
【図２】
0003191632.tif 000004
【図３】
0003191632.tif 000005
【図４】
0003191632.tif 000006